(57)【特許請求の範囲】
【請求項１】
医療撮像システムであって、
ａ）患者が配置されることができる患者テーブルと、
ｂ）前記患者テーブルが移動されることができるボアを持つ走査デバイスと、
ｃ）前記患者テーブル上の患者に対するアンビエントエクスペリエンスを作成するシステムとを有し、
前記システムが、
画像コンテンツを表示するディスプレイと、
偏光を用いて前記患者の周囲を照射する照明デバイスと、
前記ディスプレイからの光を前記患者の目に向ける表示補助とを含み、
前記照明デバイスからの光が、前記表示された画像コンテンツからの光とは別の偏光を持つという事実に基づき、前記表示補助が、偏光フィルタを有し、前記ディスプレイからの光とは光学的に異なる態様で、前記照明デバイスからの光と相互作用するよう設計される、医療撮像システム。
【請求項２】
前記表示補助が、表示された画像コンテンツからの光を通過させるが、照明光を少なくとも部分的にブロックするよう設計される、請求項１に記載の医療撮像システム。
【請求項３】
前記表示補助が、表示された画像コンテンツからの光を少なくとも部分的に反射するよう設計される、請求項１に記載の医療撮像システム。
【請求項４】
前記表示補助が、前記患者の近くに取り付けられる一対の眼鏡又は鏡を有する、請求項１に記載の医療撮像システム。
【請求項５】
前記照明デバイスが、光源及び光フィルタを有する、請求項１に記載の医療撮像システム。
【請求項６】
前記画像コンテンツが、１つ又は複数の３Ｄ画像として表示される、請求項１に記載の医療撮像システム。
【請求項７】
前記照明デバイスが、前記ボアの入口に少なくとも１つの光源、及び／又は前記ボアの後方側面に少なくとも１つの光源を有する、請求項１に記載の医療撮像システム。
【請求項８】
前記画像コンテンツを表示することが、前記患者テーブルの移動と同期化させられる、請求項１に記載の医療撮像システム。
【請求項９】
前記ディスプレイにおける画像コンテンツの描写が、前記患者テーブルの位置に結合され、前記患者による表示された画像コンテンツの認識による前記移動の効果が、前記表示された画像コンテンツのサイズ及び／又は位置の適合により補償される、請求項１に記載の医療撮像システム。
【請求項１０】
医療撮像システムのボアを持つ走査デバイスにおいて患者に対するアンビエントエクスペリエンスを作成する方法において、
画像コンテンツを表示するステップと、
偏光を用いて前記患者の周囲を照射するステップと、
前記照明デバイスからの光が、前記表示された画像コンテンツからの光とは別の偏光を持つという事実に基づき、前記表示された画像コンテンツからの光とは光学的に異なる態様で、前記医療撮像システムの表示補助を前記照明デバイスからの光と相互作用させ、前記表示された画像コンテンツからの光を優先させて前記患者の目へ向けるステップとを有する、方法。
【請求項１１】
前記画像コンテンツを表示することと平行して、音声コンテンツが再生される、請求項１０に記載の方法。
【発明の詳細な説明】
【技術分野】
【０００１】
本発明は、人に対するアンビエントエクスペリエンスを作成するシステム及び方法に関する。更に、それは、例えば斯かるシステムを有するＣＴ又はＭＲＩ走査装置といった医療撮像システムに関する。
【背景技術】
【０００２】
ＷＯ２００５／１２０３４１Ａ１号は、ＭＲＩ（磁気共鳴撮像）スキャナにおいて医療処置を経験するとき、患者が画像を見ることを可能にするシステムを開示する。こうして、患者の気がまぎれ、閉所恐怖症の感情といった課題が減らされる。
【０００３】
ＷＯ２０１２／０６６４３４Ａ１号は、ＭＲＩスキャナ室の壁上に画像を表示する方法を開示する。患者がスキャナ室に入るとき、画像は患者に対して可視の壁に表示される。患者がスキャナのテーブル上に横になっているとき、画像の投影は、別の壁に対して切替えられる。更に、３Ｄ画像が、相互に変位させられた第１及び第２の画像の投影を介して表示されることができる。これらは、色符号化又は分極化符号化される。
【０００４】
ＵＳ５  ８６４  ３３１号は、ディスプレイパネル及びＬＥＤを持つＭＲＩスキャナを開示し、これは、スキャナにおいて検査を経験している患者に、走査の残り時間及び／又はＭＲＩ手順の状態に関する情報を提供する。
【０００５】
ＵＳ５  ０７６  ２７５  Ａ号は、テレビ又はＶＣＲ画像でＭＲＩスキャナにおける患者にエンターテイメントを提供する表示システムを開示する。
【発明の概要】
【発明が解決しようとする課題】
【０００６】
上記に鑑み、人に対するアンビエントエクスペリエンス、特に医療検査の間、不快な感情を防止する又は少なくとも減らすために用いることができる、ポジティブ及び／又はリラックスしたアンビエントエクスペリエンスの作成を可能にするより堅牢な手段を持つことが望ましい。
【課題を解決するための手段】
【０００７】
この目的は、請求項１に記載される医療撮像システム及び請求項２に記載される方法に基づき対処される。好ましい実施形態は、従属項に開示される。
【０００８】
本発明の第１の側面は、人に対するアンビエントエクスペリエンスを作成するシステムに関し、上記システムが、以下の要素を有する。
【０００９】
画像コンテンツを表示するディスプレイ。
【００１０】
上記患者の周囲を照射する照明デバイス。
【００１１】
上記ディスプレイからの光を上記患者の目に向ける表示補助。ここで、上記表示補助が、上記ディスプレイからの光とは光学的に異なる態様で、上記照明デバイスからの光と相互作用するよう設計される。
【００１２】
「アンビエントエクスペリエンスの作成」は一般に、人が持つ周囲の感覚の認識、特に光学及び／又は聴覚的な認識に影響を及ぼす方法又は手段を指す。それは概して、人の周囲における対象の実際の物理的な再配置を要せず、代わりに人により受信される感覚的な入力に影響を及ぼすか又はこれを制御する他の手段を有する。アンビエントエクスペリエンスがどのように作成されることができるかという１つの典型的な例が、画像若しくは色の投影又は音の再生である。上記のシステムにおいて、アンビエントエクスペリエンスの作成は特に、ディスプレイに示される画像コンテンツを介して可能である。
【００１３】
上述した「ディスプレイ」は、制御可能な視覚的な外観を持つ任意のデバイスとすることができる。例えば、画像がビーマーにより投影されることができるパッシブスクリーン、又は例えばビデオレコーダ若しくはコンピュータといった画像ソースに接続されるアクティブモニタである。前述のビーマー、ビデオレコーダ及び／又はコンピュータはオプションで、システム「ディスプレイ」の要素とみなされることができる。
【００１４】
「画像コンテンツ」という用語は一般に、任意の視覚的な情報を表す。これは例えば、モノクロ色、静的画像、テキスト及びダイナミックビデオを含む。
【００１５】
照明デバイスは、人がいる、又はいることができる領域の照明を提供する任意の要素とすることができる。照明は通常、実際的な理由で必要とされる。例えば、人の周囲における作業の視覚的な制御を可能にするために必要とされる。照明は従って通常、特に「作成されたアンビエントエクスペリエンス」ではなく所与の背景経験である。
【００１６】
照明デバイスは特に、偏光を放出する手段、例えば偏光を直ちに放出する光源又は偏光フィルタを伴う光源を有することができる。
【００１７】
「表示補助」という用語は、人が環境から光を受信する態様に影響を及ぼす、人に関連付けられることができる任意のデバイス、ユニット又は要素を表す。好ましい実施形態において、上記表示補助が例えば、上記人の近くに取り付けられる、例えばＭＲＩシステムに付けられる一対の眼鏡又は鏡を有することができる。
【００１８】
ディスプレイからの光が、照明デバイスからの光に対する優先度を持ち人の目に対して向けられるよう、表示補助は好ましくは設計される。これは、ディスプレイ光の光線及び照明光の光線が同一方向から表示補助上へ落ちるとき、照明光の光線より、ディスプレイ光の光線のより高い割合が、人に向けられることを意味する。
【００１９】
第２の側面によれば、本発明の実施形態は、人に対するアンビエントエクスペリエンスを作成する方法に関し、この方法は、以下のステップを含む。
【００２０】
画像コンテンツを表示するステップ。
【００２１】
上記人の周囲を照射するステップ。
【００２２】
上記表示された画像コンテンツからの光とは光学的に異なる態様で、上記照明光と相互作用することにより、照明デバイスからの光に対する優先度を持ち、上記表示された画像コンテンツからの光を上記人の目へ向けるステップ。
【００２３】
この方法は、一般の形において、上述したシステムで実行されることができるステップを含む。システムに関して提供される説明は従って、方法にも同様に有効である。逆もまた同じである。
【００２４】
表示補助を介して人により見られることができる適切な画像コンテンツを表示することにより、このシステム及び方法は、アンビエントエクスペリエンスの作成を可能にする。同時に、人の周囲が、画像コンテンツのこの表示を過度に妨げることなしに照射されることができる。なぜなら、それは、照明に対して優先度を持ち、表示補助により人に対して通過されるからである。こうして例えば、患者の周囲にいる人々が、作業目的での充分な光を提供されることができる。
【００２５】
以下において、システム及び方法の両方と組み合わせて実現されることができる本発明のさまざまな好ましい実施態様が表される。
【００２６】
１つの好ましい実施形態によれば、上記表示補助が、表示された画像コンテンツからの光を通過させるが、照明光を少なくとも部分的にブロックするよう設計される。ブロックされる光は例えば、表示補助により吸収されることができる。表示補助による照明デバイスからの光のブロッキングは、完全又は部分的とすることができる。同様に、ディスプレイからの光は、表示補助を通過することが完全に又は部分的に許されることができる。いずれにせよ、ディスプレイからの光に関する表示補助の透明度は通常、照明デバイスから光に関するその透明度より高いか、又は、異なる態様では、照明デバイスからの光は、ディスプレイからの光よりもブロックされる。照明デバイスからの光に関する透明度は例えば、約２０％（理想的に０％）であり、一方、ディスプレイからの光に関する透明度は、約９０％（理想的に１００％）とすることができる。（少なくとも部分的に）ブロックされる照明デバイスの光はオプションで、人に届く全体の照明光の特定の一部、例えば表面（例えばＭＲＩスキャナのボア）で反射された一部とすることができる。
【００２７】
別の実施形態では、上記表示補助が、表示された画像コンテンツからの光を少なくとも部分的に反射するよう設計される。好ましくは、表示補助は、この反射によりディスプレイ光を人の目に向ける。更に、照明光は、表示補助によって反射されない、又は少なくともディスプレイ光より小さい範囲に反射される。光のブロック及び通過に関する上記考慮は、反射に関しても同様に有効である（照明光の「ブロッキング」は、「非反射」に対応し、ディスプレイ光の「通過」は、「反射」に対応する）。
【００２８】
表示補助が、照明デバイスからの光（「照明光」）及びディスプレイからの光（「ディスプレイ光」）とそれぞれ光学的に異なる態様で相互作用することができるさまざまな態様が存在する。１つの好ましい実施形態において、照明デバイスからの光は、ディスプレイからの光とは別の偏光を持つ。照明デバイスからの光は例えば、第１の方向に直線偏光されることができる。一方、ディスプレイからの光は、第１の方向に対して（ほぼ）垂直である第２の方向において直線偏光される。ディスプレイからの光を通過させるが、照明デバイスからの光がブロックされる、第２の方向と整列される偏光フィルタが使用されることができる。
【００２９】
別の実施形態では、照明デバイスからの光は、ディスプレイからの光とは別のスペクトル構成を持つことができる。好ましくは、照明デバイスの、及びディスプレイのスペクトルは、全く重なりをもたない、又は小さな重なりだけを持つことができる。スペクトルフィルタは、２つの種類の光を分離するために用いられることができる。
【００３０】
照明デバイスからの光とディスプレイから光との間を区別するため、表示補助は、光フィルタ、特に１つの特定の方向における線型偏光を持つ光だけを通過させる偏光フィルタを有することができる。
【００３１】
照明デバイスはオプションで、光フィルタ、特に偏光フィルタと組み合わせる光源を有することができる。光源は、光を生成するのに便利である任意の要素、例えばＬＥＤ又は白熱ランプとすることができる。なぜなら、光フィルタは、所望の特性（例えば所与の方向における偏光）を持つ光だけが、周囲に放出されることを保証するからである。
【００３２】
本発明の更なる発展において、ディスプレイは、３Ｄ（３次元）画像、即ち表示補助を通り見られるとき、人に対して３次元であるように見える画像を表示するよう設計されることができる。異なる技術が、知られており、この目的のために使用されることができる。概して、これらの技術は２つの異なる観点からのシナリオを示す２つの画像の同時表示を有する。この場合、表示補助は、これらの画像の１つが左目だけにより見られ、残りが右目だけにより見られることを保証する。異なる画像は、例えば異なる色、例えば赤及び緑で符号化されることができるか、又は異なる偏光を持つことができる。目の前の適切なフィルタが、各目が画像の異なる１つを受信することを保証することができる。
【００３３】
すべての上記の実施形態において、いくつかの音声コンテンツ（音楽、テキスト等）がオプションで、画像コンテンツの表示と平行して再生されることができる。こうして、画像コンテンツの効果が、サポート及び拡張されることができる。
【００３４】
第３の側面によれば、本発明の実施形態は、医療撮像システム、特にコンピュータ断層撮影（ＣＴ）又は磁気共鳴イメージング（ＭＲＩ）装置に関連する。このシステムは、以下の要素を有する。
【００３５】
患者が配置されることができる患者テーブル。
【００３６】
上述した（患者を搬送する）患者テーブルが移動されることができるボアを持つ走査デバイス。
【００３７】
患者に対するンビエントエクスペリエンスを作成する上述した種類のシステム。即ち、画像コンテンツを表示するディスプレイと、偏光を用いて患者の周囲を照射する照明デバイスと、ディスプレイからの光を患者の目への向ける表示補助とを有するシステム。ここで、照明光が、表示された画像コンテンツからの光とは別の偏光を持つという事実に基づき、上記表示補助は、ディスプレイからの光とは光学的に異なる態様で照明デバイスからの光と相互作用するよう設計される。
【００３８】
患者テーブルは、患者が配置又は着席されることができ、医療撮像手順の間搬送されることができる任意のデバイスとすることができる。それは概して、患者が横になることができる水平に方向付けられたベッドを有する。
【００３９】
走査デバイスの「ボア」は通常、患者のいる患者テーブルを完全に囲む多かれ少なかれ狭いトンネルである。ボアの狭さはしばしば、患者にとって不快な感情をもたらす。上記の医療撮像システムにおいて、この課題は、リラックスさせるアンビエントエクスペリエンスを作成することにより解決されることができる。
【００４０】
医療撮像システムにおいて、患者テーブル上の患者が連続して、又は、少なくとも患者テーブルが走査デバイスのボアに配置されるときそれを見ることができるよう、ディスプレイは好ましくは配置される。
【００４１】
撮像手順を制御する医療スタッフの必要に基づき、患者及び自分の周囲が十分に照射されるよう、医療撮像システムの照明デバイスは通常配置される。
【００４２】
走査技術により課される制約により、ディスプレイはしばしば、患者の即時的なビューイング範囲に配置されることができない。従って、患者テーブル上の患者にプリズム、鏡等を持つ一対の眼鏡をかけさせることが可能である。これは、「角の周りを」見ることを可能にし、走査デバイスの近くの便利な位置に配置されるディスプレイを見ることを可能にする。斯かる一対の眼鏡は追加的に、例えば照明デバイス及びディスプレイからの光の間を識別する適切な光フィルタをそれに提供することにより、表示補助として使用されることができる。代替的に、ＭＲＩシステムに取り付けられる鏡が、表示補助として使用されることができる。
【００４３】
医療撮像システムにおいて、照明デバイスは好ましくは、ボアの入口に、即ち患者テーブルがボアに誘導されることができるボアの端に少なくとも１つの光源を有することができる。追加的に又は代替的に、少なくとも１つの光源は、ボアの後方側面に、即ちその入口とは反対のボアの端に配置されることができる。
【００４４】
ボアの入口の光源は特に、光リングを有することができる。撮像手順の間、医療スタッフによる患者の適切なモニタリングを可能にするため、ボアの後方側面の光源は通常必要とされる。光源は、可能な限りボアの内部を照射するべきである。こうして、患者に関する閉所恐怖症の感情が減らされる。
【００４５】
光源は、ディスプレイの適切な表示を損ないやすい。この課題は、上述したシステムで解決される。なぜなら、患者は、照明デバイスからの光をブロックする表示補助を着用することができるからである。
【００４６】
医療撮像システムの好ましい更なる発展において、ディスプレイ上に画像コンテンツを表示することは、患者テーブルの運動と同期化される。これは中でも、患者が走査デバイスのボアに誘導される危機的な瞬間のより良好な制御を可能にする。特に、患者テーブルのボアへのこの移動は、画像コンテンツのディスプレイとの適切な同期化により、少なくとも部分的に隠されることができる。患者の移動が補償されるよう、即ち患者が自身の移動に関する視覚的な手掛かりをディスプレイから得ないよう、表示された画像コンテンツのサイズ及び／又は位置が例えば適合されることができる。例えば、患者テーブルがディスプレイに近づくよう移動される場合、表示された画像コンテンツのサイズはこれに従って減少することができる。その結果、患者テーブル上の患者によりそれは一定の表示角度の下で見られる。
【００４７】
上述した実施形態の一般化において、独立実施形態は、医療撮像システム、特にＣＴ又はＭＲＩ装置に関し、これは、以下の要素を有する。
【００４８】
ａ）患者が配置されることができる患者テーブル。
【００４９】
ｂ）患者テーブルが移動されることができるボアを持つ走査デバイス。
【００５０】
ｃ）画像コンテンツを表示するディスプレイ。ここで、ディスプレイ上の画像コンテンツの描写が患者テーブルの位置に結合される。その結果、表示された画像コンテンツの患者による認識に関する移動の効果が補償される。例えばオブジェクトの静止画像が表示されるとき、このオブジェクトの表示角度は、患者に対して一定のままでありえる。
【図面の簡単な説明】
【００５１】
【図１】本発明のある実施形態による医療撮像システムの斜視正面表示を示す図である。
【図２】図１の撮像システムの対応する背面表示を示す図である。
【図３】表示補助として機能する一対の眼鏡を示す図である。
【図４】本発明のある実施形態によるアンビエントエクスペリエンスを作成するシステムを概略的に示す図である。
【発明を実施するための形態】
【００５２】
本発明のこれら及び他の側面が、以下に説明される実施形態から明らかとなり、これらの実施形態を参照して説明されることになる。
【００５３】
同様な参照番号は、図における同一の又は類似する要素を参照する。
【００５４】
患者及びスタッフの両方により経験される病院環境を改善する試みにおける１つの重要な要素は、ＭＲ室における患者の懸念レベルを低下させるために作成される音声映像システムである。「アンビエントエクスペリエンス」（ＡＥ）に基づかれるアプローチにおいて、テーマビデオが、壁上へ投影され、これには、患者をリラックスさせるように設計されるトータル環境を共に作成する音声及び／又はさまざまなＬＥＤ照明ソリューションが伴う。斯かるＡＥアプローチは、例えば部屋をシームレスに大きく見せる丸くされた部屋角、混乱を最小化する設計倫理的体系及び患者が環境を管理しているという感覚を作成するテーマの選択（これに関して、ビデオ及びＬＥＤカラーが使用される）といった他の特徴を含むこともできる。ＡＥのこれらの特徴の他に、ＭＲスキャナ自体は、ボアの入口開口部での、光リング及びボアを照射するスキャナの後方側面での２つのライトを具備することができる。ＭＲスキャナの後方側面でのライトは、ボアをより大きく見せる。
【００５５】
さまざまな研究は、ＭＲＩ検査が多くの患者において懸念に関連付けられることを示した。これは主にボアの狭さ及びこれに関連付けられる運動制限が原因である。追加的に、手順の長さ及びスキャナの大きいノイズが、懸念をもたらす可能性がある。ＭＲＩ検査を経験しているすべての患者の最高３７％が、中レベルから高レベルの懸念を経験することがわかり、患者の５％から１０％は、閉所恐怖症又はパニックを経験することがわかった。ボア自体の内部からだけでなく、テーブルがスキャナへ移動するとき、ビデオ投影を見ることが可能であることが、懸念を減らすのに役立ち、患者の経験にポジティブなインパクトを与えることができる。
【００５６】
図１及び図２は、ビデオ投影に関するＡＥディスプレイ３０を具備するＭＲスキャナ１２を伴う医療撮像システム１０を示す。患者により着用されるＭＲプリズム眼鏡２０（図３）は、患者がボア内部の患者テーブル１１に横になる間も、ボアの外側の部屋を見ることを可能にする。これらの眼鏡を用いると、ＭＲＩ検査の間だけでなく、テーブル１１がボアへと移動している間、患者はビデオ投影を見ることができる。
【００５７】
図３は、ＭＲプリズム眼鏡２０の例を示す。それらは、イヤホーン２１及びそれぞれの目の前のプリズム２２を有する。更に、偏光フィルタ２３が、各プリズムに対して付けられる。
【００５８】
図２から分かるように、ＭＲスキャナ１２は、後方側面に２つの「照明デバイス」又はライト４０を具備する。これは特に、患者がＭＲ室に入るとき及びテーブル１１がスキャナへ移動する間、ボア１３を照射し、これをより大きく見せる。患者の経験を改善する他に、スキャナの後方側面の光は、スタッフが、検査の間、患者を見て、その者が全体の検査の間、穏やかなことを確認することを可能にし、及び患者とコンタクトしたままであることを可能にするために必要とされる。光源４０は、ハロゲンランプでもよい。
【００５９】
上記のセットアップの課題は、スキャナの後方側面での２つのランプ４０の光トンネルが、閃光をもたらす場合があり、ＭＲプリズム眼鏡を着用し、ＭＲテーブルに横になっているとき、患者がビデオ投影を見るのを防止する場合がある点にある。ランプ４０は、スイッチオフにされることができない。なぜなら、それらは、スタッフが、検査の間、患者を見て、彼／彼女とコンタクトし続けることを可能にし、ボアをより大きく見せることを可能にするからである。これらは順に、患者の経験を改善する。
【００６０】
ＭＲＩ検査の間、スタッフが患者を見ることを可能にすると同時に、懸念を減少させて、患者の経験を高めるため、テーブルがボアへ移動するとき、患者はＭＲプリズム眼鏡をかけることを必要とし、ボアの後方側面のライトがスイッチオンにされることを必要とする。閃光を防止するため、ここで提案される１つの提案は、
トンネル光４０のすぐ前に垂直偏光子を置き、
水平偏光を反射するが、垂直偏光をブロックする鏡でＭＲプリズム眼鏡２０の鏡を置き換え、及び
ＬＣＤスクリーン３０を使用して、前部偏光子が水平である場合、テーマビデオを示すことである。
【００６１】
図４は、本発明のある実施形態によるアンビエントエクスペリエンスを作成するシステムを利用する上記のアプローチを概略的に示す。システムは、以下の要素を有する。
【００６２】
「表示補助」。ここでは、患者により着用されることができ、ボア１３内からディスプレイ３０を見ることを可能にする一対の眼鏡２０により実現される。表示補助２０は、両眼の前のプリズム２２（及び／又は鏡）を有する。更に、直線偏光フィルタ２３は、上記プリズムの前（又はこの後）に配置される。この場合、これらのフィルタ２３の１つが、説明のためプリズムから分離される部分的に分解された表示において示される。図示される例において、それが水平偏光（即ち、関連付けられる座標系のｘ，ｙ方向において偏光される光）だけの通過を可能にするよう、偏光フィルタ２３は構成される。
【００６３】
偏光フィルタ２３がオプションで、プリズム２２の別の側面、例えば（図４に対する）それらの下部の小面に構成されることができる点に留意されたい。これは、この小面に対して垂直な方向で、スクリーン３０を見ることを可能にする。
【００６４】
静止画像又はビデオといった画像コンテンツが表示されることができるディスプレイ３０。ディスプレイは例えば、ＬＣＤモニタであり、特に、偏光の放出を提供する手段を持つモニタとすることができる。図示される例において、ディスプレイ３０により放出される光λＤは、水平ｘ，ｙ方向において偏光され、及び従って、表示補助２０のフィルタ２３と整列する。従って、ディスプレイからの光は、実質的に妨げられずに偏光フィルタ２３を進むことができ、患者の目に達することができる。
【００６５】
非偏光を放出する光源４１と、垂直偏光（ｚ方向）を持つ光λＩだけの通過を可能にする偏光フィルタ４２とを有する照明デバイス４０。この光源の直線偏光λＩは、表示補助のフィルタ２３によりブロックされ、こうして、患者によって見られることはない。従って、それは、ディスプレイ３０の表示と干渉することができない。
【００６６】
上記アプローチは、患者テーブル１１がスキャナ１２へと移動するとき、及び検査の間、ＭＲプリズム眼鏡２０をかける患者が、閃光なしにビデオ投影を見るためことを可能にする。なぜなら、トンネル光は、患者に対して見えないからである。トンネル１３は、患者に対して暗くみえない。なぜなら、それは、その入口で、光リング１４により照射され、その後方側面で照明デバイス４０により照射されるからである。ＬＣＤスクリーン３０上のコンテンツは、ガラスを介して完全に見え、実際強調されたコントラストを持つ。なぜなら、任意の拡散光が、偏光フィルタ２３によりブロックされるからである。トンネル光は、スタッフが、ＭＲＩ検査の間、患者を見るのに必要とされる光をまだ提供する。ＭＲプリズム眼鏡を着用しないとき、光源は、通常通り見え、これは、患者がＭＲ室に入るとき、ボアをより大きく見せる。
【００６７】
図４における偏光の方向は例示的であるにすぎず、照明デバイスからの光の、及びディスプレイからの光の偏光方向が、互いに対して（実質的に）垂直であるとすれば、もちろん変更されることができる点に留意されたい。更に、光を区別する他の手段が、同様に使用されることができる。例えば、ディスプレイからの光を通過させるが、照明デバイスからの光をブロックするスペクトルフィルタが使用される。
【００６８】
上記実施形態の更なる発展において、同じ画像だがわずかに異なる視点から描画される画像を両眼に投影することにより、３Ｄ効果を生成するため、ＭＲプリズム眼鏡に関する偏光子が用いられることができる。わずかに異なる画像は、視覚的な皮質において互いに比較される。この差が、深さに関する基準として使用される。深さの錯覚が作成されることで、３Ｄ画像は、観者に対してより訴求する。更なる深さの錯覚を作成することは、ビデオ投影を一層遠くに見せ、ＭＲ室を実際より大きく見せる。更に、３Ｄコンテンツは、よりエンゲージする。これは、検査の間の動きが少なくなる及びよりポジティブな患者の経験を含む複数のポジティブな結果を与える可能性がある。
【００６９】
更に別の実施形態において、より大きい部屋の錯覚を作成する３Ｄスクリーンコンテンツが、表示されることができる。これは例えば、美術作品からの斜視図概念を用いてなされることができる。
【００７０】
偏光眼鏡２０はすでに、懸念を減らすのを助ける。なぜなら、患者は、彼らの周りで起こっている医療処置への関心が遠のくからである。ハイコントラストが原因で、患者の焦点は完全に投影にあり、医療処置から逸らされたままである。３Ｄ視覚化を用いると、患者は、気が紛れる要素に更に浸漬されることさえできる。
【００７１】
しかしながら、一旦患者テーブル１１がスキャナ１２へ移動し始めると、患者は、医療処置を思い出す場合がある。なぜなら、患者がボアに移動されるとすぐ、気が紛れるシーンの表示が変化するからである。当然、患者がボアに移動されるとき、患者は気がつく。観察によれば、最も危機的な瞬間の１つは、患者がスキャナへ移動されるときであることが知られている。
【００７２】
スキャナに入ることの恐れを減らすため、ディスプレイ３０における画像コンテンツの偏光される（又は他の態様で特徴づけられる）描写が、ＭＲテーブル１１の位置に結合されることができる。一旦テーブルが移動し始めると、医療処置が始まりそうだという視覚的なトリガーを患者が持たないよう、表示された（例えば、投影された）ビデオは変化することができる。この追加を用いて、患者は、医療処置に気づきにくく、提供される注意をそらすものに浸漬されたままでいる。
【００７３】
要約すると、偏光光源を用いる本発明の実施形態が説明され、これは、ＡＥインボア経験に関して特別に設計される。このアプローチは、オペレータが、トンネル内をはっきり見ることを可能にするが、患者に対して閃光をもたらさず、ボアから見られることができるビデオスクリーンのコントラストレベルを低下させることもない。
【００７４】
好ましい実施形態において、提案されたシステムは、例えば患者のリラックスに関するビデオといった画像コンテンツを表示するディスプレイ、及び周囲を照射する照明デバイスを有する。更に、それは、ディスプレイからの光を通過させるが、照明デバイスからの光を少なくとも部分的にブロックするように設計される表示補助、特に一対の眼鏡を有する。表示補助は例えば、垂直な方向において偏光される照明デバイスからの光をブロックしつつ、ディスプレイからの直線偏光を通過させる偏光フィルタを有することができる。
【００７５】
本発明が図面及び前述の説明において詳細に図示され及び説明されたが、斯かる図示及び説明は、説明的又は例示的であると考えられ、本発明を限定するものではない。本発明は、開示された実施形態に限定されるものではない。図面、開示及び添付された請求項の研究から、開示された実施形態に対する他の変形が、請求項に記載の本発明を実施する当業者により理解され、実行されることができる。請求項において、単語「有する」は他の要素又はステップを除外するものではなく、不定冠詞「ａ」又は「ａｎ」は複数性を除外するものではない。シングルプロセッサ又は他のユニットが、請求項に記載される複数のアイテムの機能を満たすことができる。特定の手段が相互に異なる従属項に記載されるという単なる事実は、これらの手段の組み合わせが有利に使用されることができないことを意味するものではない。コンピュータープログラムは、他のハードウェアと共に又はその一部として供給される光学的記憶媒体又は固体媒体といった適切な媒体において格納／配布されることができるが、インターネット又は他の有線若しくは無線通信システムを介してといった他の形式で配布されることもできる。請求項における任意の参照符号は、発明の範囲を限定するものとして解釈されるべきではない。
【図１】
0006324514.tif 000002
【図２】
0006324514.tif 000003
【図３】
0006324514.tif 000004
【図４】
0006324514.tif 000005